(57)【要約】【課題】  本発明は魚釣用電動リールに関し、刻々変化する釣場や魚の状況に要求される微妙な巻取り駆動操作を、モータスイッチの操作で行えるようにした魚釣用電動リールを提供することを目的とする。【解決手段】  リール本体に回転可能に支持されたスプールを巻取り駆動するスプール駆動モータと、押圧操作及び操作解除により、当該スプール駆動モータを駆動及び停止制御するモータスイッチを備えた魚釣用電動リールに於て、前記リール本体に、前記モータスイッチの押圧操作で駆動されるスプール駆動モータの出力状態を複数の出力状態に設定変更する変更部材を設けたことを特徴とする。【選択図】    図１
2007252256.tif 000002
【特許請求の範囲】
【請求項１】
リール本体に回転可能に支持されたスプールを巻取り駆動するスプール駆動モータと、
押圧操作及び操作解除により、当該スプール駆動モータを駆動及び停止制御するモータスイッチを備えた魚釣用電動リールに於て、
前記リール本体に、前記モータスイッチの押圧操作で駆動されるスプール駆動モータの出力状態を複数の出力状態に設定変更する変更部材を設けたことを特徴とする魚釣用電動リール。
【請求項２】
リール本体に回転可能に支持されたスプールを巻取り駆動するスプール駆動モータと、押圧操作及び操作解除により、当該スプール駆動モータを駆動及び停止制御するモータスイッチを備えた魚釣用電動リールであって、
前記リール本体に、前記モータスイッチとスプール駆動モータの出力状態の異なるモータスイッチを設けたことを特徴とする魚釣用電動リール。
【請求項３】
前記リール本体に既存の他の機能スイッチが装着され、当該機能スイッチは、切換え操作で、スプール駆動モータの出力状態の異なるモータスイッチに設定変更されることを特徴とする請求項２に記載の魚釣用電動リール。
【発明の詳細な説明】
【技術分野】
【０００１】
本発明は、リール本体に回転自在に取り付くスプールを巻取り駆動するスプール駆動モータを備えた魚釣用電動リールに関する。
【背景技術】
【０００２】
船釣り等、一般に深場の魚層を対象とした魚釣りを行う場合、魚釣用電動リール（以下、「電動リール」という）が広く使用されている。
従来周知のようにこの電動リールは、スプール駆動モータの駆動でスプールを回転させて釣糸の巻取りを行うもので、昨今の電動リールには、スプール駆動モータのモータ出力を調節する変速レバーが回転操作可能に装着され、この変速レバーの操作で、釣場の状況（例えば、対象魚の大きさや種類，魚とのファイトやヒット数）に応じたモータ出力の調節が容易に行えるようになっている。
【０００３】
また、特許文献１に開示されるように電動リールには、スプール駆動モータの駆動をＯＮ／ＯＦＦするモータスイッチ（押圧操作時だけモータＯＮ、離すとモータＯＦＦとなる寸動スイッチ）が設けられており、当該モータスイッチのＯＮ操作でスプールを寸動させて、モータ駆動によるシャクリ操作等が行えるようになっている。
【特許文献１】特開２０００−１２５７２５号公報
【発明の開示】
【発明が解決しようとする課題】
【０００４】
しかし乍ら、前記モータスイッチは、押圧操作時に予め設定されている高出力でスプール駆動モータが駆動し、モータスイッチから指を離したＯＦＦ操作時にはスプール駆動モータが停止する、所謂モータ出力停止／高出力の二者択一の出力駆動制御であるため、糸フケの解消や魚の誘い、或いはシャクリ後の巻取り操作等、刻々変化する釣場や魚の状況に適合した微妙な巻取り駆動操作を、モータスイッチの操作で行えない等の課題を残している。
【０００５】
本発明は斯かる実情に鑑み案出されたもので、刻々変化する釣場や魚の状況に要求される微妙な巻取り駆動操作を、モータスイッチの操作で行えるようにした電動リールを提供することを目的とする。
【課題を解決するための手段】
【０００６】
斯かる目的を達成するため、請求項１に係る発明は、リール本体に回転可能に支持されたスプールを巻取り駆動するスプール駆動モータと、押圧操作及び操作解除により、当該スプール駆動モータを駆動及び停止制御するモータスイッチを備えた電動リールに於て、前記リール本体に、前記モータスイッチの押圧操作で駆動されるスプール駆動モータの出力状態を複数の出力状態に設定変更する変更部材を設けたことを特徴とする。
【０００７】
また、請求項２に係る発明は、リール本体に回転可能に支持されたスプールを巻取り駆動するスプール駆動モータと、押圧操作及び操作解除により、当該スプール駆動モータを駆動及び停止制御するモータスイッチを備えた電動リールであって、前記リール本体に、前記モータスイッチとスプール駆動モータの出力状態の異なるモータスイッチを設けたことを特徴とする。
【０００８】
そして、請求項３に係る発明は、請求項２に記載の電動リールに於て、前記リール本体に既存の他の機能スイッチが装着され、当該機能スイッチは、切換え操作で、スプール駆動モータの出力状態の異なるモータスイッチに設定変更されることを特徴としている。
【発明の効果】
【０００９】
請求項１に係る発明によれば、リール本体に設けられたモータスイッチの押圧操作でスプール駆動モータの出力状態を駆動制御するに際し、従来の停止／駆動の単なる二者択一の出力駆動制御ではなく、変更部材による簡単な操作で、駆動時に於けるスプール駆動モータのモータ出力状態を複数設定変更する構成としたので、糸フケの解消や魚の誘い、或いはシャクリ後の巻取り操作等、刻々変化する釣場や魚の状況に要求される微妙な巻取り駆動操作を、モータスイッチの押圧操作で容易に行えることとなった。
【００１０】
また、請求項２に係る発明によれば、スプール駆動モータの出力状態の異なるモータスイッチを使い分けることにより、刻々変化する釣場や魚の状況に要求される微妙な巻取り駆動操作に対して容易に対応できることとなった。
そして、請求項３に係る発明によれば、スプール駆動モータの出力状態の異なるモータスイッチを、リール本体のスペースやスイッチ数を増やすことなく設けることが可能となった。
【発明を実施するための最良の形態】
【００１１】
以下、本発明の実施形態を図面に基づいて詳細に説明する。
図１は請求項１の第一実施形態に係る電動リールを示し、図中、１はリール本体３のフレーム、５，７は当該フレーム１の左右のフレーム枠体９，１１に取り付く側板で、両側板５，７間にスプール軸が支持部（図示せず）に回転可能に支持され、当該スプール軸にスプール１３が回転可能に支持されている。
【００１２】
スプール１３は、スプール駆動モータ１５の駆動やハンドル１７の巻取り操作で回転して釣糸が巻回され、スプール駆動モータ１５は、スプール１３前方のフレーム枠体９，１１間に一体形成された筒状のモータケース内に収容されている。
そして、スプール駆動モータ１５のモータ軸とスプール軸との間に、遊星歯車とこれに噛合する太陽歯車や内歯歯車等からなる遊星減速機構１９と、駆動ベルト２１を用いた動力伝達機構２３が順次装着されており、これらの遊星減速機構１９と動力伝達機構２３を介してスプール駆動モータ１５の駆動力がスプール軸に伝達されるようになっている。
【００１３】
スプール軸はスプール１３の中央を貫通してその他端側が側板７内に突出し、その突出端に、スプール軸の回転をスプール１３に伝達させる動力伝達機構２５や、スプール１３を釣糸巻取り状態とスプールフリー状態とに切り換えるクラッチ機構２７が装着されている。
そして、スプール１３後方のフレーム枠体９，１１間にクラッチレバー２９が下方向へ押圧操作可能に取り付けられており、当該クラッチレバー２９の押圧操作で、これに連結されたクラッチ機構２７がクラッチＯＮ状態からクラッチＯＦＦ状態に切り換わるようになっている。
【００１４】
また、このクラッチＯＦＦ状態でハンドル１７を巻取り方向へ回転させると、図示しない周知の復帰機構を介してクラッチ機構２７がクラッチＯＮ状態に復帰するようになっており、このようにクラッチ機構２７のクラッチＯＮ／ＯＦＦの切換えでスプール１３が釣糸巻取り状態とスプールフリー状態とに切り換わって、スプール１３へのスプール駆動モータ１５やハンドル１７の動力が伝達／遮断されるようになっている。
【００１５】
而して、スプール駆動モータ１５は、ハンドル１７側の側板７の上部前方に装着したレバー形状のモータ出力調節体（以下、「変速レバー」という）３１や、後述する押しボタン式の寸動スイッチ３３の押圧操作で駆動するように構成されており、変速レバー３１はハンドル１７と同方向へ回転操作可能に取り付けられている。
そして、リール本体３の上部には、マイクロコンピュータとその他の電装部品からなる制御回路等が収容された制御ボックス３５が側板５，７間に設けられており、前記変速レバー３１の操作量に応じ、マイクロコンピュータがパルス信号のデューティ比としてスプール駆動モータ１５への電流通電時間率を可変制御して、スプール駆動モータ１５のモータ出力をモータ停止状態から高出力値まで連続的に増減調節するようになっている。
【００１６】
また、図１中、３７はスプール１３の回転方向と回転数を検出する回転検出手段で、当該回転検出手段３７は、フレーム枠体９に装着された一対のホール素子やリードスイッチ等からなる磁気センサ３９と、これに対向してスプール１３の一端側周縁部に固着されたマグネット４１とで構成されており、磁気センサ３９はマイクロコンピュータのＣＰＵに接続されている。
【００１７】
一方、マイクロコンピュータのＲＯＭには、特開平５−１０３５６７号公報で開示された電動リールと同様、糸長計測基礎データが入力された糸長計測プログラムが組み込まれており、ＣＰＵは、磁気センサ３９から出力されるスプール１３の正転／逆転の判定信号を取り込んで釣糸の繰出しか巻取りかを判定すると共に、磁気センサ３９から取り込むスプール１３の回転パルス信号を基に、前記糸長計測プログラムによって糸長（釣糸の繰出し量）を計測するようになっている。
【００１８】
そして、ＣＰＵは、計測された糸長を表示駆動回路を介して制御ボックス３５の操作パネル４３上に設けた液晶表示器（以下、「表示器」という）４５に表示させるようになっており、釣人は斯かる表示を確認し乍ら、所定の水深に仕掛けを繰り出したり、ハンドル１７や変速レバー３１，寸動スイッチ３３の操作で釣糸を巻き取ることができるようになっている。
【００１９】
また、操作パネル４３上には、表示器４５に隣接して押しボタン式のリセットスイッチ４７と底カラ／棚メモスイッチ４９がハンドル１７側に偏寄して上下に配設されると共に、両スイッチ４７，４９にオフセットさせてモータスイッチ３３が表示器４５の斜め後方のハンドル１７側に設けられており、これらはマイクロコンピュータに接続されている。
而して、周知のように棚メモスイッチ４９は棚位置の設定に使用するもので、従来と同様、リセットスイッチ４７との操作で棚位置が設定されて、棚位置が表示器４５に表示されるようになっている。
【００２０】
そして、前記モータスイッチ３３の押圧操作でスプール駆動モータ１５が駆動し、操作を解除するとスプール駆動モータ１５が停止するが、本実施形態に係る電動リール５１は、このモータスイッチ３３によるスプール駆動モータ１５のモータ出力を、ダイヤル（変更部材）５３の操作で複数の出力状態に設定変更できるようにしたことを特徴とする。
即ち、図１及び図２に示すように、操作パネル４３上には、前記モータスイッチ３３を囲繞して平面視ドーナッツ形状のダイヤル（変更部材）５３が装着されており、ダイヤル５３は釣人が指で摘むことができる厚み（高さ）に形成され、その外周に小さな指針５５が設けられている。そして、その中央からモータスイッチ３３が上方へ突出した構造となっている。
【００２１】
そして、ダイヤル５３は、図１に示す位置から矢印方向へ６段階（６つのポジション）に回動操作可能に取り付き、また、ダイヤル５３を囲んで操作パネル４３上に、ダイヤル５３の操作段階を区画する７本の線状のマーク５７が放射状に表示されており、釣人は、指針５５がどのマーク５７の範囲内にあるかを見て、現在設定しているモータスイッチ３３のモータ出力状態が把握できるようになっている。そして、釣人は、電動リール５１を手で保持し乍ら、指先でダイヤル５３の操作ができるようになっている。
【００２２】
而して、マイクロコンピュータのＣＰＵには、モータスイッチ３３の６段階の操作位置に応じたモータ出力が、例えば、
[1]デューティ比２０％
[2]デューティ比４０
[3]デューティ比６０％
[4]デューティ比８０％
[5]デューティ比９０％
[6]デューティ比１００％
として予め工場出荷段階で設定，記憶されており、釣人がモータスイッチ３３を図１に示す位置から矢印方向へ回転操作する毎に、モータスイッチ３３によるスプール駆動モータ１５のモータ出力が[1]から[2]〜[6]へと段階的に設定変更されるようになっている。
【００２３】
従って、例えば釣人がダイヤル５３を操作してモータスイッチ３３のモータ出力をデューティ比６０％に設定すると、モータスイッチ３３を押圧操作している間、スプール駆動モータ１５はデューティ比６０％のモータ出力で駆動し、手を離すと停止する。
一方、既述したようにスプール駆動モータ１５は、変速レバー３１の操作量に応じてモータ停止状態から高出力値まで連続的に駆動し、また、例えばデューティ比４０％の位置で変速レバー３１を止めると、スプール駆動モータ１５はデューティ比４０％の定出力で駆動するが、この定出力状態で、上述の如くデューティ比６０％のモータ出力に設定されたモータスイッチ３３を操作すると、その操作の間はスプール駆動モータ１５がモータスイッチ３３によるモータ出力（デューティ比６０％）で駆動し、モータスイッチ３３から手を離すと、スプール駆動モータ１５は停止することなく変速レバー３１で調節設定されたデューティ比４０％のモータ出力で駆動し続けるように構成されている。
【００２４】
従って、例えばダイヤル５３の操作で、モータスイッチ３３のモータ出力をデューティ比２０％に設定した場合、変速レバー３１によるデューティ比４０％の定出力での駆動中にモータスイッチ３３を操作すると、その操作の間はスプール駆動モータ１５がモータスイッチ３３によるデューティ比２０％のモータ出力で駆動し、モータスイッチ３３から手を離すと、スプール駆動モータ１５は停止することなく変速レバー３１で調節設定されたデューティ比４０％のモータ出力で駆動する。
【００２５】
また、定出力状態での駆動時に限らず、変速レバー３１を回動操作中にモータスイッチ３３を押した場合にも、モータスイッチ３３によるモータ出力でスプール駆動モータ１５が駆動し、モータスイッチ３３から手を離すと、モータスイッチ３３を押した時の変速レバー３１の操作位置でのモータ出力でスプール駆動モータ１５が停止することなく駆動するようになっている。
【００２６】
尚、これらのスプール駆動モータ１５の駆動制御は、モータスイッチ３３のＯＮ／ＯＦＦの操作信号を入力したマイクロコンピュータのＣＰＵによって行われる。
その他、図１に於て、５９は電動リール５１を握持した手の邪魔にならないように反ハンドル側の側板５に設けた突出部で、当該突出部５９はスプール１３前方の下部から下方へ突出し、その先端に給電コードを接続する給電接続部が装着されている。そして、従来と同様、当該給電接続部にコネクタを介して給電コードが接続され、この給電コードをバッテリ等の電源に接続することでスプール駆動モータ１５等に給電されるようになっている。
【００２７】
本実施形態はこのように構成されているから、実釣に当たり、給電接続部にコネクタを介して給電コードを接続し、給電コードをバッテリ等の電源に接続することでスプール駆動モータ１５等に給電される。
そして、クラッチレバー２９のクラッチＯＦＦ操作で釣糸がスプール１３から繰り出され、変速レバー３１によるスプール駆動モータ１５の巻取り駆動やハンドル１７の巻取り操作でスプール１３に釣糸が巻回され、更にモータスイッチの押圧操作でスプール駆動モータ１５が駆動し、また、釣糸の繰出しや巻取りに伴い、回転検出手段３７の検出値を基に糸長が計測されて表示器４５に糸長が表示されるが、釣場の状況に応じ、釣人が既述したダイヤル５３の設定操作でモータスイッチ３３のモータ出力を設定変更すれば、スプール駆動モータ１５は、斯様に設定されたモータスイッチ３３のモータ出力で駆動することとなる。
【００２８】
このように本実施形態は、モータスイッチ３３の押圧操作でスプール駆動モータ１５の出力状態を駆動制御するに際し、従来の停止／駆動の単なる二者択一の出力駆動制御ではなく、ダイヤル５３による簡単な操作で、駆動時に於けるスプール駆動モータ１５のモータ出力状態を複数設定変更する構成としたので、糸フケの解消や魚の誘い、或いはシャクリ後の巻取り操作等、刻々変化する釣場や魚の状況に要求される微妙な巻取り駆動操作を、モータスイッチ３３の押圧操作で容易に行えることとなった。
【００２９】
図３は請求項１に係る発明の第二実施形態を示し、本実施形態は、前記ダイヤル５３に代え、制御ボックス３５のハンドル１７側の一側部に、当該制御ボックス３５に回転可能且つその回転中心方向へ押圧変位操作可能に取り付く円盤状の操作体、所謂ジョグダイヤル（変更部材）６１を、表示器４５に隣接して制御ボックス３５から一部が露出するように装着し、このジョグダイヤル６１の矢印方向への回転操作と回転中心方向へ押圧変位操作で、前記モータ出力[1]〜[6]を順次設定変更可能とすると共に、表示器４５に設けた出力表示部６３に、設定変更したモータ出力を、例えば「１」〜「６」の数値で表示するようにしたものである。そして、釣人は、電動リール６５を手で保持し乍ら、指先でジョグダイヤル６１の操作ができるようになっている。
【００３０】
尚、その他の構成は図１の実施形態と同様であるので、同一のものには同一符号を付してそれらの説明は省略する。
本実施形態はこのように構成されており、本実施形態によっても、図１の実施形態と同様、所期の目的を達成することが可能で、刻々変化する釣場や魚の状況に要求される微妙な巻取り駆動操作を、モータスイッチ３３の押圧操作で容易に行える利点を有する。
【００３１】
図４は請求項２に係る発明の一実施形態を示し、本実施形態は、操作パネル４３上に、スプール駆動モータ１５のモータ出力状態の異なる２つのモータスイッチ３３，６７を設けたもので、その他の構成は図１の実施形態と同様であるので、同一のものには同一符号を付してそれらの説明は省略する。
本実施形態に係る電動リール６９はこのように構成されており、本実施形態によっても、図１の実施形態と同様、所期の目的を達成することが可能で、刻々変化する釣場や魚の状況に要求される微妙な巻取り駆動操作を、モータスイッチ３３，６７の選択操作で容易に行える利点を有する。
【００３２】
図５は請求項２及び請求項３の一実施形態を示し、本実施形態に係る電動リール７１は、モータスイッチ３３と底カラ／棚メモスイッチ４９を同時に２秒間押圧操作（切り換え操作）すると、底カラ／棚メモスイッチ４９が、モータスイッチ３３とモータ出力状態を異にする他のモータスイッチに切り換わるように構成したもので、斯様に底カラ／棚メモスイッチ４９をモータスイッチに設定変更した後、再度モータスイッチ３３と底カラ／棚メモスイッチ４９を同時に２秒間押圧操作（切り換え操作）すると、底カラ／棚メモスイッチ４９は本来の機能スイッチに戻るようになっている。
【００３３】
而して、本実施形態によっても、既述した各実施形態と同様、所期の目的を達成することが可能であり、また、本実施形態によれば、斯様に底カラ／棚メモスイッチ４９をモータスイッチとして兼用させることで、操作パネル４３上のスイッチ数を増やす必要がない利点を有する。
尚、モータスイッチ３３と底カラ／棚メモスイッチ４９の同時の押圧操作に代え、操作パネル４３上に別途モード切換えスイッチを装着して、当該モード切換えスイッチの押圧操作で、底カラ／棚メモスイッチ４７がモータスイッチ３３とモータ出力状態を異にする他のモータスイッチに切り換わるように構成してもよく、斯かる実施形態によっても、所期の目的を達成することが可能である。
【図面の簡単な説明】
【００３４】
【図１】請求項１の第一実施形態に係る電動リールの平面図である。
【図２】モータスイッチとダイヤルの側面図である。
【図３】請求項１の第二実施形態に係る電動リールの要部平面図である。
【図４】請求項２の一実施形態に係る電動リールの要部平面図である。
【図５】請求項２及び請求項３の一実施形態に係る電動リールの要部平面図である。
【符号の説明】
【００３５】
１  フレーム
３  リール本体
５，７  側板
１３  スプール
１５  スプール駆動モータ
１７  ハンドル
２９  クラッチレバー
３１  変速レバー
３３，６７  モータスイッチ
３５  制御ボックス
３７  回転検出手段
４３  操作パネル
４５  表示器
４７  リセットスイッチ
４９  底カラ／棚メモスイッチ
５１，６５，６９，７１  電動リール
５３  ダイヤル
５５  指針
５７  マーク
６１  ジョグダイヤル
【図１】
2007252256.tif 000003
【図２】
2007252256.tif 000004
【図３】
2007252256.tif 000005
【図４】
2007252256.tif 000006
【図５】
2007252256.tif 000007